(57)【要約】      （修正有）【課題】ネズミを捕獲すると警告動作して注意を喚起する粘着式ネズミ捕り構造を提供する。【解決手段】底台１上に粘着式ネズミ捕り板８を載置するサポート体２を設けて、底台１上に全方位にスイング動作可能に支持し、ネズミがサポート体２上に設置した粘着式ネズミ捕り板８上に乗ると、スイング動作して感知部材５によって検知し、コントロール回路７によりインジケーターの発光ダイオード７１、７２を点灯させて警告する。ネズミの捕獲後ただちに処理することができるため、環境衛生に悪影響を及ぼすことを防止することができる。【選択図】図１
0003197407.tif 000002
【実用新案登録請求の範囲】
【請求項１】
警告機能を備える粘着式ネズミ捕り構造であって、
底台、サポート体、複数の感知部材を備え、
該底台は、中央位置に、サポート部材を全方位のスイング動作可能に設置し、
該複数の感知部材は、該底台と該サポート体との間にサポート部材のスイング動作を感知するように設置すると共に、導線によりボックス体内に設置したコントロール回路を介してインジケーターに接続し、
粘着式ネズミ捕り板を該サポート体上に載置して、該サポート体両側に設置した嵌合構造の係止片で該粘着式ネズミ捕り板を嵌合し
ネズミが該粘着式ネズミ捕り板の上にのると、該サポート体は、その重量によりスイング動作して該感知部材により検知して該コントロール回路を経てインジケーターを点灯させて警告を発する、ことを特徴とする警告機能を備える粘着式ネズミ捕り構造。
【請求項２】
前記サポート部材は、該サポート体に設置する球体、及び該底台に設置する嵌合台を有し、
これにより、該球体は、該嵌合台に嵌めて設置された後、該嵌合台に沿って回転可能とし、こうして該サポート体は、全方位のスイング動作を呈することを特徴とする請求項１に記載の警告機能を備える粘着式ネズミ捕り構造。
【請求項３】
前記嵌合構造には係止片を設置し、該係止片下方より軸部を延長して係止片を９０度回動可能に支持すると共に、該軸部にねじれバネを被せて設置して該ねじれバネにより該係止片を該サポート体側辺とフラットな位置を保持するよう押圧せしめ、
該係止片の片側に係止片と係合する傾斜面を有する係合ブロックを配置して、該係合ブロックをバネを被せた軸に支持せしめて該軸にプッシュボタンを設けることにより、
サポート体上に粘着式ネズミ捕り板を載置して該係止片を回動して係止片を該係合ブロックにより係止して、粘着式ネズミ捕り板を嵌合・固定し、
該プッシュボタンを押し下げることにより係止片を該係合ブロックとの係合を解除して該サポート体側辺とフラットな位置に復帰せしめてサポート体から粘着式ネズミ捕り板の着脱を可能とした、ことを特徴とする請求項１に記載の警告機能を備える粘着式ネズミ捕り構造。
【請求項４】
前記感知部材は、微動スイッチ或いは水銀スイッチであることを特徴とする請求項１に記載の警告機能を備える粘着式ネズミ捕り構造。
【考案の詳細な説明】
【技術分野】
【０００１】
本考案は警告機能を備える粘着式ネズミ捕り構造に関し、特に既に捕獲したネズミを即刻処理するよう使用者に知らせることができ、長時間放置することでネズミの屍骸が異臭を放ち、環境衛生に影響を及ぼすことを防止可能な警告機能を備える粘着式ネズミ捕り構造に関する。
【背景技術】
【０００２】
有史以来、ネズミは人間の暮らしの中に存在してきた。
ネズミは住宅に隠れ、人の食物を食い荒らし、しかもペスト等の伝染病を広める動物であるため、人類の生命安全に危害を加える有害動物として考えられている。
そのため、一般の住宅やレストラン或いは米穀店に至るまで、なんとかネズミの害を減らそうとしている。
【０００３】
従来のネズミ捕り方法としてしばしば見られるのは、ネズミ捕りカゴ或いは粘着式ネズミ捕りである。
これらの内、粘着式ネズミ捕りは、使用時に天井裏或いは適当な場所に置き、ネズミがその上を歩くのを待ち、ネズミをしっかりと粘着してしまうものである。
【０００４】
しかし、粘着式ネズミ捕りがネズミを捕獲しても、使用者が気をつけて見に行かなければ、或いはすっかり忘れてしまえば、ネズミの屍骸は異臭を放ち、環境衛生に悪影響を及ぼす恐れさえある。
本考案は、従来の粘着式ネズミ捕り構造の上記した欠点に鑑みてなされたものである。
【先行技術文献】
【特許文献】
【０００５】
【特許文献１】特開２００２−２７２３５０号公報
【考案の概要】
【考案が解決しようとする課題】
【０００６】
本考案が解決しようとする課題は、粘着式ネズミ捕り板上の既に捕獲したネズミを即刻処理するよう使用者に知らせることができ、長時間放置することでネズミの屍骸が異臭を放ち、環境衛生に影響を及ぼすことを防止可能な警告機能を備える粘着式ネズミ捕り構造を提供することである。
【課題を解決するための手段】
【０００７】
上記課題を解決するため、本考案は下記の警告機能を備える粘着式ネズミ捕り構造を提供する。
警告機能を備える粘着式ネズミ捕り構造は、底台、及び該底台上方に設置するサポート体を有し、
該底台と該サポート体との間の中間位置には、サポート部材を設置し、該サポート体は、全方位のスイング動作を呈することができ、周縁には複数の感知部材を設置し、該各感知部材は、インジケーター（発光ダイオード）を設置するコントロール回路に連接し、
粘着式ネズミ捕り板を該サポート体にセット後、天井裏或いは適当な場所に置き、ネズミが該粘着式ネズミ捕り板の上にのると、該サポート体はその重量によりスイング動作し、こうして該感知部材を触発し、該インジケーターを点灯させ、警告の作用を構成し、
捕獲したネズミを即刻処理するよう使用者に知らせ、長時間放置することでネズミの屍骸が異臭を放ち、及び環境衛生に悪影響を及ぼすことを防止し、
警告機能を備える粘着式ネズミ捕り構造において、該コントロール回路はボックス体に設置し、該底台と該サポート体との間の周縁に設置する各感知部材は、導線により、該コントロール回路と連接され、粘着式ネズミ捕り構造を天井上に置いた時、使用者が目にし易いよう、導線により該ボックス体を天井から垂れ下がらすことができる。
【考案の効果】
【０００８】
本考案の警告機能を備える粘着式ネズミ捕り構造は、粘着式ネズミ捕り板上の既に捕獲したネズミを即刻処理するよう使用者に知らせることができ、長時間放置することでネズミの屍骸が異臭を放ち、環境衛生に影響を及ぼすことを防止可能である。
【図面の簡単な説明】
【０００９】
【図１】本考案の立体分解図である。
【図２】本考案の嵌合構造立体図である。
【図３】本考案の断面図である。
【図４】本考案一実施形態の回路ブロックチャートである。
【図５】本考案の使用状態図である。
【考案を実施するための形態】
【００１０】
以下に図面を参照しながら本考案を実施するための最良の形態について詳細に説明する。
【実施例】
【００１１】
図１、図２、図３は、本考案の立体分解図、嵌合構造立体図、及び断面図である。
【００１２】
図に示すとおり、本考案は、底台１、及び該底台１上方に設置するサポート体２を有する。
【００１３】
該底台１と該サポート体２との間の中間位置には、サポート部材３を設置する。
【００１４】
本実施形態では、該サポート部材３は、該サポート体２に設置する球体２１、及び該底台１に設置する嵌合台１１を有する。
【００１５】
これにより、該球体２１は、該嵌合台１１に嵌めて設置された後、該嵌合台１１に沿って回転し、こうして該サポート体２は、全方位のスイング動作を呈することができる。
【００１６】
該サポート体２の両側には、嵌合構造４をそれぞれ設置する。
【００１７】
該嵌合構造４には、係止片４１を設置し、該係止片４１下方より、軸部４２を延長する。
【００１８】
該軸部４２には、ねじれバネ４３を被せて設置し、該ねじれバネ４３により、該係止片４１は、該サポート体２側辺とフラットな位置を保持する。
【００１９】
該係止片４１の片側には、傾斜状の係合ブロック４４、及び該係合ブロック４４に連接するプッシュボタン４５を設置する。
【００２０】
該プッシュボタン４５底縁より軸部４６を延長し、該軸部４６には、バネ４７を被せて設置する。
【００２１】
これにより、該係止片４１が９０度回転し、係合ブロック４４を越える（係合ブロック４４は傾斜状なため係止片４１のスライドに有利）と、該係合ブロック４４により係止を構成する。
【００２２】
しかも、該プッシュボタン４５を押すと、該係合ブロック４４は該係止片４１を離脱し、これにより該係止片４１は、該ねじれバネ４３の弾性により定位を回復する。
【００２３】
該底台１と該サポート体２との間の周縁には、複数の感知部材５を設置する。
【００２４】
これにより、該各感知部材５は、導線６により、インジケーター（発光ダイオード）７１、７２を設置し、しかもボックス体内に設置するコントロール回路７に連接する。
【００２５】
本実施形態では、該各感知部材５は、微動スイッチ、水銀スイッチ或いは他のタッチスイッチである。
【００２６】
上記した構成部材を組み合わせて、警告機能を備える粘着式ネズミ捕り構造を構成する。
【００２７】
粘着式ネズミ捕り板８を該サポート体２にセット後、両側の係止片４１を９０度回転させ、粘着式ネズミ捕り板８を嵌合する。
【００２８】
これを、天井裏或いは適当な場所に置き、ネズミが該粘着式ネズミ捕り板８の上にのると、該サポート体２は、重量によりスイング動作する。
【００２９】
こうして、該感知部材５を触発し、該インジケーター７１、７２を点灯させ、警告の作用を構成し、捕獲したネズミを即刻処理するよう使用者に知らせ、長時間放置することでネズミの屍骸が異臭を放ち、及び環境衛生に悪影響を及ぼすことを防止する。
【００３０】
図４は、本考案の実施形態の回路ブロックチャートである。
【００３１】
図に示すとおり、本考案のコントロール回路７は、固定ユニット７３、該固定ユニット７４に連接する点滅ユニット及び恒明ユニット７５を有する。
【００３２】
これにより、該インジケーター７１、７２は、該点滅ユニット７４及び該恒明ユニット７５にそれぞれ連接する。
【００３３】
任意の感知部材５が触発されると、該固定ユニット７３により固定された後、該インジケーター７１は点灯し点滅動作を生じ、一定時間の点滅後、該インジケーター７２を点灯し、恒明を保持し、警告の作用を構成する。
【００３４】
該コントロール回路７全体の作動電源は、電池７６により供給する。
【００３５】
図５は、本考案の使用状態図である。
【００３６】
図３に示すとおり、本考案の使用時には、該粘着式ネズミ捕り板８を該サポート体２に置いた後、両側の係止片４１を９０度回転させ、該粘着式ネズミ捕り板８を嵌合し、これを天井裏或いは適当な場所に置く。
【００３７】
ネズミ９が該粘着式ネズミ捕り板８にのり、該サポート体２が重量によりスイング動作すると、該感知部材５を触発し、該コントロール回路７により該インジケーター７１、７２を点灯させ、警告の作用を構成する。
【００３８】
捕獲したネズミを即刻処理するよう使用者に知らせ、長時間放置することでネズミの屍骸が異臭を放ち、及び環境衛生に悪影響を及ぼすことを防止する。
【００３９】
使用者が粘着式ネズミ捕り板８への接近を避けたい時には、該導線６により粘着式ネズミ捕り構造全体を引き寄せる。
【００４０】
続いて、工具（クリップなど）を用いてプッシュボタン４５を押すと、該係合ブロック４４は該係止片４１を離脱し、こうして該係止片４１は定位を回復し、該粘着式ネズミ捕り板８を取り出しネズミの屍骸を処理することができる。
【００４１】
上記を総合すると、本考案は相互に接続するサポート体及び底台に、サポート体と底台との間に設置する複数の感知部材を組合せ、警告機能を備える粘着式ネズミ捕り構造を構成する。
【００４２】
これにより、粘着式ネズミ捕り板上の既に捕獲したネズミを即刻処理するよう使用者に知らせ、長時間放置することでネズミの屍骸が異臭を放ち、及び環境衛生に悪影響を及ぼすことを防止する。
【００４３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４５】
１  底台
１１  嵌合台
２  サポート体
２１  球体
３  サポート部材
４  嵌合構造
４１  係止片
４２  軸部
４３  ねじれバネ
４４  係合ブロック
４５  プッシュボタン
４６  軸部
４７  バネ
５  感知部材
６  導線
７  コントロール回路
７１  インジケーター
７２  インジケーター
７３  固定ユニット
７４  点滅ユニット
７５  恒明ユニット
７６  電池 
８  粘着式ネズミ捕り板
９  ネズミ
【図１】
0003197407.tif 000003
【図２】
0003197407.tif 000004
【図３】
0003197407.tif 000005
【図４】
0003197407.tif 000006
【図５】
0003197407.tif 000007